(57)【要約】  受動光ネットワーク（ＰＯＮ）においてデータ伝送延長を実現する方法、装置、及びシステムが提供される。バーストモードクロック及びデータ再生（ＢＣＤＲ）モジュールと、電気−光（Ｅ／Ｏ）増幅モジュールとの間に、装置は、デリミタマッチングモジュールと、プリアンブルバッファリング及び補償モジュールとを含む。デリミタマッチングモジュールは、ＢＣＤＲモジュールによって送信されたデータフレームを受信し、データフレーム内のデリミタの位置を特定するように適合される。光−電気（Ｏ／Ｅ）増幅モジュールが、データフレームに対して、Ｏ／Ｅ変換、増幅、及び整形を実行する。ＢＣＤＲモジュールが、次に、データフレームに対して、クロック及びデータ再生処理を実行する。プリアンブルバッファリング及び補償モジュールは、デリミタマッチングモジュールから出力されたデータフレームを受信及びバッファリングし、デリミタマッチングモジュールによって特定された、データフレーム内のデリミタの位置に従って、データフレーム内に補償プリアンブルを挿入し、下流方向のリタイミングクロックに従って、Ｅ／Ｏ増幅モジュールにデータフレームを送信するように適合される。従って、データ伝送延長が光−電気−光（ＯＥＯ）手法で実現される。
2010534989.tif 000002
【特許請求の範囲】
【請求項１】
受動光ネットワーク（ＰＯＮ）においてデータ伝送延長を実現する装置であって、上流方向において、光−電気（Ｏ／Ｅ）増幅整形モジュールと、バーストモードクロック及びデータ再生（ＢＣＤＲ）モジュールと、電気−光（Ｅ／Ｏ）増幅モジュールとを備え、
前記ＢＣＤＲモジュールによって送信されたデータフレームを受信し、前記データフレーム内のデリミタの位置を特定するように適合された、デリミタマッチングモジュールであって、前記Ｏ／Ｅ増幅整形モジュールが前記データフレームに対してＯ／Ｅ変換、増幅、及び整形を実行し、前記ＢＣＤＲモジュールが前記データフレームに対してクロック及びデータ再生処理を実行する、デリミタマッチングモジュールと、
前記デリミタマッチングモジュールから出力された前記データフレームを受信及びバッファリングし、前記デリミタマッチングモジュールによって特定された、前記データフレーム内の前記デリミタの前記位置に従って、前記データフレーム内に補償プリアンブルを挿入し、次に、下流方向におけるリタイミングクロックに従って、Ｅ／Ｏ増幅モジュールに前記データフレームを送信するように適合された、プリアンブルバッファリング及び補償モジュールと
を更に備える装置。
【請求項２】
前記デリミタマッチングモジュールは、クロックモジュールと、デリミタ特定モジュールとを更に備え、
前記クロックモジュールは、前記データフレームがＯ／Ｅ変換、増幅、及び整形され、次に、前記ＢＣＤＲモジュールによってクロック及びデータ再生された後で取得された、上流再生クロックを受信し、前記デリミタ特定モジュールに前記上流再生クロックを送信するように適合され、
前記デリミタ特定モジュールは、前記上流再生クロックに従って、前記プリアンブルバッファリング及び補償モジュールに、前記クロック及びデータ再生の後の前記データフレームを送信するように適合された、請求項１に記載の装置。
【請求項３】
下流方向において、Ｏ／Ｅ増幅整形モジュールと、リタイミングモジュールと、Ｅ／Ｏモジュールとを更に備え、
前記Ｏ／Ｅ増幅整形モジュールは、下流方向において、Ｏ／Ｅ変換、増幅、及び整形を実行するためにデータフレームを受信し、前記リタイミングモジュールに前記データフレームを送信するように適合され、
前記リタイミングモジュールは、前記Ｏ／Ｅ増幅整形モジュールから受信した、前記Ｏ／Ｅ変換、増幅、及び整形を実行した後の前記データフレームから、クロック及びデータを再生し、クロックデジッタリングを実行し、安定した位相を有するリタイミングクロックを生成し、前記ＢＣＤＲモジュールと前記プリアンブルバッファリング及び補償モジュールとに前記リタイミングクロックを送信し、前記リタイミングクロックに従って、前記Ｅ／Ｏモジュールに、前記Ｏ／Ｅ変換、増幅、及び整形を実行した後の前記データフレームを送信するように適合され、
前記Ｅ／Ｏモジュールは、前記リタイミングモジュールから送信された、前記Ｏ／Ｅ変換、増幅、及び整形を実行した後の前記データフレームを受信し、前記受信したデータフレームに対してＥ／Ｏ変換を実行し、前記変換されたデータフレームを送信するように適合され、
前記上流方向において、前記ＢＣＤＲモジュールは、前記受信したリタイミングクロックを基準クロックとして利用し、前記上流再生クロックと前記データフレームとを再生し、前記デリミタマッチングモジュールを介して前記プリアンブルバッファリング及び補償モジュールに、前記上流再生クロックと前記データフレームとを送信する、請求項１に記載の装置。
【請求項４】
前記プリアンブルバッファリング及び補償モジュールは、
前記デリミタマッチングモジュールから受信した、特定されたデリミタ位置を有する前記データフレームをバッファリングし、前記リタイミングモジュールによって取得された前記リタイミングクロック、又は、前記デリミタマッチングモジュールを介して前記ＢＣＤＲモジュールから取得された前記上流再生クロックに従って、前記Ｅ／Ｏ増幅モジュールに、プリアンブルが補償された前記データフレームを送信するように適合された、バッファリングモジュールと、
前記バッファリングモジュールによって出力された、前記特定されたデリミタを有する前記データフレームのプリアンブル位置に、前記補償プリアンブルを挿入するように適合された、プリアンブル挿入モジュールと
を更に備える、請求項３に記載の装置。
【請求項５】
前記プリアンブル挿入モジュールは、前記バッファリングモジュールによって出力された、前記特定されたデリミタを有する前記データフレームの前記プリアンブル位置に、前記補償プリアンブルを、前記デリミタマッチングモジュールによって送信された挿入制御信号を受信した後で挿入する、請求項４に記載の装置。
【請求項６】
前記リタイミングモジュールによって出力された前記リタイミングクロックに対して周波数分割処理を実行し、前記周波数分割処理の後の前記リタイミングクロックを、前記ＢＣＤＲモジュールと前記バッファリングモジュールとに送信するように適合された、周波数分割モジュール
を更に備える、請求項４に記載の装置。
【請求項７】
受動光ネットワーク（ＰＯＮ）においてデータ伝送延長を実現するシステムであって、光ネットワークユニット（ＯＮＵｓ）と、光回線終端装置（ＯＬＴｓ）と、光−電気−光（ＯＥＯ）装置とを備え、
前記ＯＥＯ装置は、前記ＯＮＵｓによって送信されたデータフレームを受信し、前記データフレームに対して、光−電気（Ｏ／Ｅ）変換、増幅、及び整形を実行し、前記データフレームに対して、バーストモードクロック及びデータ再生動作を実行し、取得された再生データフレームのプリアンブル及びデータを規定し、前記データフレームの前記プリアンブルを補償し、前記プリアンブルが補償された前記データフレームに対して、Ｏ／Ｅ変換、及び増幅を実行し、前記処理されたデータフレームを前記ＯＬＴｓに送信するように適合された、システム。
【請求項８】
前記ＯＥＯ装置と前記ＯＬＴｓとの間の距離は、前記ＯＥＯ装置と前記ＯＬＴｓとの間の光パワーバジェットに従って決定される、請求項７に記載のシステム。
【請求項９】
前記ＯＥＯ装置は、前記ＯＮＵｓから２０キロメートル以下の距離だけ隔たった位置に配置される、請求項８に記載のシステム。
【請求項１０】
受動光ネットワーク（ＰＯＮ）においてデータ伝送延長を実現する方法であって、光回線終端装置（ＯＬＴｓ）と光ネットワークユニット（ＯＮＵｓ）との間の距離が延長され、光−電気−光（ＯＥＯ）装置が前記ＯＬＴｓと前記ＯＮＵｓとの間に配置され、前記方法は、
前記ＯＥＯ装置によって、受動光スプリッタを介して前記ＯＮＵｓから受信したデータフレームに対して、光−電気（Ｏ／Ｅ）変換、増幅、及び整形を実行し、前記データフレームに対して、バーストモードクロック及びデータ再生（ＢＣＤＲ）を実行して、ＢＣＤＲの後のデータフレームを取得し、
前記ＯＥＯ装置によって、ＢＣＤＲの後の前記データフレームのプリアンブル及びデータを規定し、前記プリアンブルを補償し、前記プリアンブルが補償された前記データフレームに対して、Ｏ／Ｅ変換及び増幅を実行し、前記データフレームを前記ＯＬＴｓに送信すること
を含む、方法。
【請求項１１】
前記プリアンブルを補償することは、
前記ＢＣＤＲの間に減損される、データフレームのプリアンブルのビット数に従って、プリアンブル生成規則を設定し、前記ＢＣＤＲの後の前記データフレームのプリアンブル及びデータを規定し、前記設定されたプリアンブル生成規則に従ってプリアンブルを生成し、前記減損されたプリアンブルの位置において、前記生成されたプリアンブルを追加すること、又は、
プロトコルで指定されたプリアンブルビット数に従って、プリアンブル生成規則を予め設定し、前記ＢＣＤＲの後の前記データフレームのプリアンブル及びデータを規定し、前記設定されたプリアンブル生成規則に従ってプリアンブルを生成し、前記プリアンブル位置においてプリアンブル全体を上書きすること
を更に含む、請求項１０に記載の方法。
【請求項１２】
前記プリアンブルが補償された前記データフレームに対して、前記Ｏ／Ｅ変換及び前記増幅を実行する前に、前記方法は、
下流方向における前記データフレームのリタイミング再生の後で取得されたリタイミングクロック、又はＢＣＤＲを介して再生された上流リタイミングクロックに従って、Ｏ／Ｅ変換及び増幅を実行するための光−電気（Ｏ／Ｅ）増幅整形モジュールに、前記プリアンブルが補償された前記データフレームを送信すること
を更に含む、請求項１０に記載の方法。
【発明の詳細な説明】
【技術分野】
【０００１】
本発明は、受動光ネットワーク（ＰＯＮ）におけるデータ伝送技術に関し、特に、ＰＯＮにおいてデータ伝送延長を実現する方法、システム、及び装置に関する。
【背景技術】
【０００２】
ビデオオンデマンド、高解像度テレビジョン、及びオンラインゲームなどの、新しいサービスが徐々に提案されるにつれて、帯域幅に対するユーザの需要は日ごとに増加している。ファイバツーザホーム技術の発展は、「ラストマイル」アクセスネットワークの帯域幅を効果的に保証する。受動光ネットワーク（ＰＯＮ）技術は、現在、最も広く適用されているファイバツーザホーム技術のうちの１つである。現在のところ、ＰＯＮは、ブロードＰＯＮ（ＢＰＯＮ）、ギガビットＰＯＮ（ＧＰＯＮ）、及びイーサネットＰＯＮ（ＥＰＯＮ）を含む。
【０００３】
図１は、従来技術におけるＰＯＮネットワークの概略構成図である。ユーザの様々なサービスが、ＰＯＮ内のアクセス及びトランスポートネットワークを介して伝送され、その結果、サービスを受けるために様々な電気通信サービスノードが柔軟にアクセスされることが可能である。図１に示すように、ＰＯＮは、光回線終端装置（ＯＬＴｓ）と、光ネットワークユニット（ＯＮＵｓ）と、受動光スプリッタとを、ＰＯＮアクセス層において含み、伝送ネットワークと、電気通信サービスノードとを、メトロポリタンコンバージェンス層において含む。ユーザ装置（ＵＥ）は、ＰＯＮアクセス層を介して、メトロポリタンコンバージェンス層にアクセスする。ＯＬＴｓと受動光スプリッタとは、幹線光ファイバを介して接続される。受動光スプリッタは、ポイントツーマルチポイント光パワー分配を実現し、複数の支線光ファイバを介して、複数のＯＮＵｓに接続される。ＯＮＵｓはＵＥに接続される。ＯＬＴｓとＯＮＵｓとの間の、幹線光ファイバ、受動光スプリッタ、及び支線光ファイバは、一般に、受動光分配ネットワーク（ＯＤＮ）と呼ばれる。ＯＤＮを介した、ＯＬＴｓからＯＮＵｓへのデータの伝送は、下流方向であり、ＯＤＮを介した、ＯＮＵｓからＯＬＴｓへのデータの伝送は、上流方向である。
【０００４】
ＰＯＮにおいて、受動光スプリッタを介してＯＬＴｓに相互接続されるＯＮＵｓの数は比較的少なく、カバー半径は２０キロメートル以下であるため、ＰＯＮアーキテクチャにおいてＵＥの要求を満たすためのＯＬＴｓの数は比較的多く、更に、それらのＯＬＴｓの位置エリアは遠く離れて分散させられ、これは、管理及び保守のためには不便であり、かつ、ＰＯＮの確立及び保守における高いコストを要する。次世代光アクセスネットワークの出現に伴い、ＯＮＵｓからのＰＯＮを、１００キロメートルのデータ伝送に延長する技術が提案されている。この技術は、１０Ｇｂｐｓの対称速度データ伝送、１００キロメートルの伝送距離、及び１：５１２のスプリット比というＰＯＮ目標を提案する。利用される技術は、主として、光パワー増幅及び波長分割技術である。ＰＯＮにおいては、データ伝送延長により、ＰＯＮアクセス層及びメトロポリタンコンバージェンス層などの、ネットワークのレベルが単純化されるため、ネットワークノードの数が減少し、１つのＯＬＴの管理下にあるＵＥの数が増加し、コストは最大限に配分され、それにより最終的に、装置コストが減少し、管理及び保守コストが節約される。
【０００５】
現在のところ、ＰＯＮにおけるデータ伝送延長には、光−電気−光（ＯＥＯ）変換手法によるリジェネレータ延長解決策が利用される場合がある。図２は、従来技術における、ＯＥＯ手法で実現される、ＰＯＮにおけるデータ伝送延長ネットワークの概略構成図である。ＯＥＯエクステンダボックスが、受動光スプリッタとＯＬＴｓとの間に配置される。ＯＥＯエクステンダボックスは、ＯＥＯ装置である。ＯＥＯエクステンダボックスは、従来のＯＤＮを２つのＯＤＮ、すなわち、ＯＤＮ１とＯＤＮ２とに分割する。ＯＥＯエクステンダボックスは、光−電気（Ｏ／Ｅ）変換、バースト受信、パワー増幅、及び電気−光（Ｅ／Ｏ）変換を、ＯＥＯエクステンダボックスのデータに対して完了し、次に、処理されたデータを送信するように適合される。従って、データを受信するＯＬＴｓ又はＯＮＵｓがデータを受信できないように、伝送されるデータのパワーが伝送距離の増加と共に徐々に減衰するということはない。
【０００６】
図２のＯＥＯエクステンダボックスに関しては、その具体的な配置位置は依然として討議中である。図３は、ＯＥＯエクステンダボックスの具体的な構成の概略構成図である。すなわち、ＯＬＴｓとＯＮＵｓとの間に、２つのＯＥＯエクステンダボックスが構成され、そのうちの１つはＯＬＴｓの近くに配置され、もう１つは受動光スプリッタの近くに、すなわち、ＯＮＵ側に配置される。しかし、２つのＯＥＯエクステンダボックスの使用は経済的ではない。ＯＥＯエクステンダボックスの、別の具体的な構成が提供されており、すなわち、ＯＥＯエクステンダボックスはＯＬＴとＯＮＵｓとの間に構成され、そして、ＯＥＯエクステンダボックスはＯＬＴの近くに構成される。しかし、この手法は、パワーバジェットを大幅には向上させない。
【０００７】
図４は、従来技術におけるＯＥＯエクステンダボックスの基本構成の概略図である。上流方向では、Ｏ／Ｅ増幅整形モジュールと、バーストモードクロック及びデータ再生（ＢＣＤＲ）モジュールと、Ｅ／Ｏ増幅モジュールとが含まれている。下流方向では、Ｏ／Ｅ増幅整形モジュールと、リタイミングモジュール（ＣＤＲモジュールを含む）と、Ｅ／Ｏモジュールとが含まれている。
【０００８】
上流方向において、ＯＮＵは、通常、バーストモード光学部品を使用してデータを送信し、つまり、バーストデータを送信する。受信器としてのＯＥＯエクステンダボックス又はＯＬＴｓの、正しいデータ受信を確実にするために、データの各データフレームのフレームヘッドの前に、プリアンブルが付加される必要がある。従って、上流方向において、データフレームを受信した後で、ＯＥＯエクステンダボックス内の上流方向におけるＯ／Ｅ増幅整形モジュールは、データフレームに対してＯ／Ｅ変換、増幅、整形を実行し、そして、ＢＣＤＲを実行するためにＢＣＤＲモジュールにデータフレームを送信し、次に、データフレームは、Ｅ／Ｏ変換増幅を実行するためのＥ／Ｏ増幅モジュールに、再生された（ｒｅｃｏｖｅｒｅｄ）上流クロックに従って送信され、次に、データフレームは出力される。下流方向において、データフレームを受信した後で、ＯＥＯエクステンダボックス内の下流方向におけるＯ／Ｅ増幅整形モジュールは、データフレームに対してＯ／Ｅ変換、増幅、及び整形を実行し、次に、リタイミングを介して、データフレームに対してクロック及びデータ再生が実行され、次に、データフレームは、Ｅ／Ｏ変換のためのＥ／Ｏモジュールに、再生された下流クロックを介して送信され、次に、データフレームは出力される。
【発明の概要】
【発明が解決しようとする課題】
【０００９】
本発明の実施において、発明者らは、従来技術が以下の問題を有することを見出した。上流方向はバーストデータの受信を含むため、Ｏ／Ｅ変換、増幅、及び整形が実行される必要があり、ＢＣＤＲモジュールは、クロックデータを正しく識別、受信、及び再生するように適合される。しかし、そのような処理の間に、Ｏ／Ｅ変換、増幅、及び整形の後の各バーストデータフレームが正しく受信されることと、クロックデータが再生可能であることとが保証される場合、一定の調整期間が必要とされ、それにより、データフレームのプリアンブル減損（ｐｒｅａｍｂｌｅ  ｉｍｐａｉｒｍｅｎｔ）がもたらされる。ＢＣＤＲモジュールがデータフレームに対してＢＣＤＲを実行した後で、データフレームが送信される場合、データフレーム内のプリアンブルから一部が失われている。図５は、Ｏ／Ｅ増幅整形モジュールとＢＣＤＲモジュールとによってデータフレームに対して実行される、バースト受信とクロック及びデータ再生とのタイミング図である。図５の上部で、タイミング図は、ＯＥＯエクステンダボックスによって受信されるデータフレームを示し、この図の中で、ＴDSRは、バースト間隔を表し、Ｔｏｎは、期間内にＯＮＵのバースト送信器レーザの開始処理で送信される無効データを表し、ＴLRは、期間内の、Ｏ／Ｅ増幅整形モジュールのトランスインピーダンス増幅器及び制限増幅器の電位回復時間を表し、ＴCRは、期間内の、ＢＣＤＲクロック再生時間を表す。データフレームのプリアンブルはＴLRとＴCRとにわたり、データフレーム内で運ばれるデリミタで始まるデータ部が後に続く。後続の部分はプリアンブルの残留部分を含んでもよい。図５の下部には、Ｏ／Ｅ増幅整形モジュールとＢＣＤＲモジュールとによって処理された後のデータフレームのタイミング図が示されており、この図は、帯域幅分配の間隔期間と、プリアンブル減損期間と、非減損プリアンブル期間と、データフレーム内で運ばれるデータ部とを含む。図５は、全てのプリアンブルが消費された特殊な状況を示す。データフレーム内で運ばれるデータ部のみが、ＢＣＤＲモジュールによって実行されたＢＣＤＲ処理の後で残されている。
【００１０】
従って、Ｏ／Ｅ増幅整形モジュールによってデータフレームに対して実行されるＯ／Ｅ変換、増幅、及び整形と、ＢＣＤＲモジュールによってデータフレームに対して実行されるＢＣＤＲとによって引き起こされるプリアンブル減損は、ＯＬＴｓ又は後続のＯＥＯエクステンダボックスなどの、後続の受信器で、データフレームを正しく受信することに影響を及ぼす場合がある。例えば、データフレームのプリアンブルは４４ビットを有すると仮定する。Ｅ／Ｏ増幅モジュールによって実行されるＯ／Ｅ変換、増幅、及び整形と、ＢＣＤＲモジュールによってデータフレームに対して実行されるＢＭＣＲ処理とは、１３ビットを要する。この場合、データフレームは、残された３１ビットのプリアンブルのみを有する。データフレームを受信する後続のＯＬＴｓのために、データフレームのプリアンブルは、プロトコルで指定されたプリアンブルのバイト数に対する要求を満たすことができず、その結果、ＯＬＴｓはデータフレームを正しく受信することができず、このため、ＯＥＯ手法はデータ伝送延長を実際に実現することができない。
【課題を解決するための手段】
【００１１】
従って、本発明の実施形態は、ＯＥＯ手法でのデータ伝送延長の実現に適用可能な、ＰＯＮにおいてデータ伝送延長を実現する方法に関する。
【００１２】
本発明は、ＯＥＯ手法でのデータ伝送延長の実現に適用可能な、ＰＯＮにおいてデータ伝送延長を実現する装置に関する。
【００１３】
本発明は、ＯＥＯ手法でのデータ伝送延長の実現に適用可能な、ＰＯＮにおいてデータ伝送延長を実現するシステムに関する。
【００１４】
目的に従って、本発明の技術的解決法は以下のように実現される。
【００１５】
本発明は、ＰＯＮにおいてデータ伝送延長を実現する装置を提供する。上流方向において、装置は、光−電気（Ｏ／Ｅ）増幅整形モジュールと、バーストモードクロック及びデータ再生（ＢＣＤＲ）モジュールと、電気−光（Ｅ／Ｏ）増幅モジュールとを含む。装置は、デリミタマッチングモジュールと、プリアンブルバッファリング及び補償モジュールとを更に含む。
【００１６】
デリミタマッチングモジュールは、ＢＣＤＲモジュールによって送信されたデータフレームを受信し、データフレーム内のデリミタの位置を特定するように適合される。データフレームは、Ｏ／Ｅ増幅モジュールによってＯ／Ｅ変換、増幅、及び整形され、次に、ＢＣＤＲモジュールが、処理されたデータフレームに対してクロック及びデータ再生処理を実行する。
【００１７】
プリアンブルバッファリング及び補償モジュールは、デリミタマッチングモジュールによって出力されたデータフレームを受信及びバッファリングし、デリミタマッチングモジュールによって特定された、データフレーム内のデリミタの位置に従って、データフレーム内に補償プリアンブルを挿入し、下流方向におけるリタイミングクロックに従って、Ｅ／Ｏ増幅モジュールにデータフレームを送信するように適合される。
【００１８】
本発明は、光ネットワークユニット（ＯＮＵｓ）と、光回線終端装置（ＯＬＴｓ）とを含む、ＰＯＮにおいてデータ伝送延長を実現するシステムを提供する。システムは、ＯＥＯ装置を更に含む。
【００１９】
ＯＥＯ装置は、ＯＮＵｓによって送信されたデータフレームを受信し、Ｏ／Ｅ変換、増幅、及び整形を実行し、バーストモードクロック及びデータ再生動作を実行し、取得された、再生されたデータフレームに対してプリアンブル及びデータを規定し、データフレームのプリアンブルを補償し、プリアンブルが補償されたデータフレームに対して、Ｏ／Ｅ変換、及び増幅を実行し、データフレームをＯＬＴｓに送信するように適合される。
【００２０】
本発明は、ＯＬＴｓとＯＮＵｓとの間の距離の延長に適用可能な、ＰＯＮにおいてデータ伝送延長を実現する方法を提供する。ＯＥＯ装置が、ＯＬＴｓとＯＮＵｓとの間に配置される。方法は以下のステップを含む。
【００２１】
ＯＥＯ装置は、受動光スプリッタを介してＯＮＵから受信したデータフレームに対して、Ｏ／Ｅ変換、増幅、及び整形を実行し、バーストモードクロック及びデータ再生を実行して、ＢＣＤＲの後のデータフレームを取得する。
【００２２】
ＯＥＯ装置は、ＢＣＤＲの後のデータフレームに対してプリアンブル及びデータを規定し、プリアンブルを補償し、プリアンブルが補償されたデータフレームに対して、Ｏ／Ｅ変換、及び増幅を実行し、データフレームをＯＬＴｓに送信する。
【００２３】
上記の解決策からわかるように、本発明の実施形態で提供される方法、装置、及びシステムは、データ伝送延長システム（ＯＬＴｓとＯＮＵｓとの間にＯＥＯ装置が含まれている）において適用される。データフレームに対するプリアンブル補償機能がＯＥＯ装置内に構成されるため、ＯＥＯ装置内で、Ｏ／Ｅ増幅モジュールによってデータフレームに対して実行されるＯ／Ｅ変換、増幅、及び整形と、ＢＣＤＲモジュールによってデータフレームに対して実行されるＢＣＤＲとによって引き起こされるプリアンブル減損が補償されることが可能であり、それにより、データフレームのプリアンブル減損に起因して後続の受信器がデータフレームを正しく受信できないということが防止される。従って、本発明は、ＯＥＯ手法でのデータ伝送延長を実現する。
【図面の簡単な説明】
【００２４】
【図１】従来技術におけるＰＯＮネットワークの概略構成図である。
【図２】従来技術における、ＯＥＯ手法で実現される、ＰＯＮにおけるデータ伝送延長ネットワークの概略構成図である。
【図３】従来技術におけるＯＥＯエクステンダボックスの具体的な構成の概略構成図である。
【図４】従来技術におけるＯＥＯエクステンダボックスの基本構成の概略図である。
【図５】従来技術における、ＢＣＤＲモジュールによってデータフレームに対して実行されるクロック及びデータ再生のタイミング図である。
【図６】本発明の一実施形態による、ＯＥＯ手法で実現される、ＰＯＮにおけるデータ伝送延長ネットワークの概略構成図である。
【図７】本発明の一実施形態による３Ｒ装置の概略構成図である。
【図８】本発明の一実施形態による、データ伝送延長を実現する方法のフローチャートである。
【図９】本発明の一実施形態による、ＧＰＯＮにおけるデータ伝送延長のための３Ｒ装置の概略図である。
【図１０】本発明の一実施形態による、データ内で運ばれ、ＧＰＯＮにおいて伝送される、データフレームを示す。
【発明を実施するための形態】
【００２５】
本発明の目的、技術的解決法、及び利点をよりわかりやすくするために、本発明の実施形態について、添付の図面を参照して以下で更に詳細に説明する。
【００２６】
ＯＥＯ手法でのデータ伝送延長を実現するためには、ＯＥＯ装置によって引き起こされる、上流方向に伝送されるデータフレームのプリアンブル減損のため、後続の受信器がデータフレームを正しく受信できない、という問題が解決されなければならない。従って、本発明の実施形態では、ＯＥＯ装置が再構築される。装置は、上流方向に伝送されるデータフレームに対して、Ｅ／Ｏ変換、バースト受信、パワー増幅、及びＯ／Ｅ変換を実行することができるだけでなく、バースト受信によって引き起こされるデータフレームのプリアンブル減損を補償することもできる。
【００２７】
本発明の実施形態では、再構築されたＯＥＯ装置は、３Ｒ装置と呼ばれる。
【００２８】
図６は、本発明の一実施形態による、ＯＥＯ手法で実現される、ＰＯＮにおけるデータ伝送延長ネットワークの概略構成図である。本発明の実施形態で提供される３Ｒ装置は、受動光スプリッタと光回線終端装置（ＯＬＴｓ）との間に構成される。３Ｒ装置は、光分配ネットワーク（ＯＤＮ）を、ＯＤＮ１とＯＤＮ２とに分割する。３Ｒ装置とＯＮＵｓとの間では、上流方向にデータを伝送するために、バーストモードが採用され、下流方向にデータを伝送するために、連続モードが採用される。３Ｒ装置とＯＬＴｓとの間では、上流方向及び下流方向の両方にデータを伝送するために、連続モードが採用される。
【００２９】
本発明の実施形態では、データを伝送するための連続モードとは、送信器レーザ（ＯＮＵ装置、３Ｒ装置、及びＯＬＴ装置のうちのいずれかの中に存在する）が、データが送信される前にオンにされ、データが送信された後にオフにされる必要はないことを意味する。代わりに、送信器レーザは、常にオン状態にある。
【００３０】
本発明の実施形態では、ＰＯＮにおける既存のＯＤＮインタフェース標準との互換性を考慮して、３Ｒ装置は、ＰＯＮ内のＯＬＴの元の位置において構成されてもよく、その場合、ＯＬＴは延長位置において構成される。そのような構成は、以下の利点を有する。
【００３１】
１）受動光スプリッタとＯＮＵｓとの間の、３Ｒ装置のためのインタフェース標準は、元のＯＬＴインタフェース標準を引き続き使用することができる。ＯＮＵインタフェース標準は変化しない。
【００３２】
２）データ伝送延長の距離は、３Ｒ装置とＯＬＴｓとの間の光パワーバジェットに主に依存する。すなわち、上流方向では、３Ｒ装置によってＯＬＴ側に送信されたデータのパワーが、一定の距離だけ光ファイバを通過した後で減衰した場合、ＯＬＴがデータを受信するための感度を依然として満たす。下流方向では、ＯＬＴによって送信されたデータのパワーが、一定の距離だけ光ファイバを通過した後で減衰した場合、３Ｒ装置はＯＬＴ側において依然として正常にデータを受信することができる。
【００３３】
具体的には、３Ｒ装置は、ＯＮＵｓから２０キロメートル以下の距離だけ隔たった位置に構成されてもよい。
【００３４】
図７は、本発明の一実施形態による３Ｒ装置の概略構成図である。図７に示すように、上流方向において、３Ｒ装置は、Ｏ／Ｅ増幅整形モジュール７０１と、バーストモードクロック及びデータ再生（ＢＣＤＲ）モジュール７０２と、デリミタマッチングモジュール７０３と、プリアンブルバッファリング及び補償モジュール７０４と、Ｅ／Ｏ増幅モジュール７０５とを含む。下流方向において、３Ｒ装置は、Ｏ／Ｅ増幅整形モジュール７０６と、リタイミングモジュール７０７と、Ｅ／Ｏモジュール７０８とを含む。
【００３５】
上流方向にデータが伝送される場合、各モジュールの機能は以下に記載する通りである。
【００３６】
上流方向におけるＯ／Ｅ増幅整形モジュール７０１は、上流方向のデータフレームを受信し、データフレームに対してＯ／Ｅ変換、増幅、及び整形を実行し、処理されたデータフレームをＢＣＤＲモジュール７０２に送信するように適合される。
【００３７】
ＢＣＤＲモジュール７０２は、上流方向におけるＯ／Ｅ増幅整形モジュール７０１によってＯ／Ｅ変換、増幅、及び整形を実行した後で送信されたデータフレームを受信し、下流リタイミングクロックを基準クロックとして利用することによって、データフレームに対してクロック及びデータ再生を実行し、再生されたデータフレームをデリミタマッチングモジュール７０３に送信するように適合される。同時に、上流再生クロックも、デリミタマッチングモジュール７０３に送信される。
【００３８】
デリミタマッチングモジュール７０３は、クロック及びデータ再生を実行した後のデータフレームをサーチし、サーチすることを介してデリミタが見出された後で、データ位置とプリアンブル位置とを特定し、ＢＣＤＲモジュール７０２から受信した上流再生クロックに従って、プリアンブルバッファリング及び補償モジュール７０４に、データを運ぶデータフレームを送信するように適合される。
【００３９】
プリアンブルバッファリング及び補償モジュール７０４は、デリミタマッチングモジュール７０３から受信した、デリミタデータを運ぶデータフレームをバッファリングし、デリミタマッチングモジュール７０３によって特定されたプリアンブル挿入位置において補償プリアンブルを挿入し、リタイミングモジュール７０７から取得した下流リタイミングクロックに従って、Ｅ／Ｏ増幅モジュール７０５に、補償プリアンブルが挿入されたデータフレームを送信するように適合される。
【００４０】
本発明の実施形態では、上流再生クロックは、補償プリアンブルが挿入されたデータフレームをＥ／Ｏ増幅モジュール７０５に送信する際にも採用されてもよい（図７には図示せず）。
【００４１】
Ｅ／Ｏ増幅モジュール７０５は、プリアンブルバッファリング及び補償モジュール７０４から受信した、プリアンブル補償後のデータフレームに対して、Ｅ／Ｏ変換及びパワー増幅を実行し、処理されたデータフレームを送信するように適合される。
【００４２】
下流方向にデータが伝送される場合、各モジュールの機能は以下に記載する通りである。
【００４３】
下流方向におけるＯ／Ｅ増幅整形モジュール７０６は、下流方向のデータフレームを受信し、データフレームに対してＯ／Ｅ変換、増幅、及び整形を実行し、処理されたデータフレームをリタイミングモジュール７０７に送信するように適合される。
【００４４】
リタイミングモジュール７０７は、下流方向におけるＯ／Ｅ増幅整形モジュール７０６によってＯ／Ｅ変換、増幅、及び整形を実行した後で送信されたデータフレームを受信し、再生されたデータフレームの下流クロックに対してデジッタリングを実行して、下流リタイミングクロックを生成し、下流リタイミングクロックに従って、Ｅ／Ｏモジュール７０８にデータフレームを送信するように適合される。
【００４５】
Ｅ／Ｏモジュール７０８は、リタイミングモジュール７０７から受信したデータフレームに対してＥ／Ｏ変換を実行し、処理されたデータフレームを送信するように適合される。
【００４６】
本発明の実施形態では、デリミタマッチングモジュール７０３は、詳細には、クロックモジュールと、デリミタ特定モジュールとを含む。クロックモジュールは、データフレームがＯ／Ｅ変換、増幅、及び整形され、次に、ＢＣＤＲモジュール７０２によってクロック及びデータ再生された後で取得された、上流再生クロックを受信し、デリミタ特定モジュールに上流再生クロックを送信するように適合される。デリミタ特定モジュールは、上流再生クロックに従って、プリアンブルバッファリング及び補償モジュールに、クロック及びデータ再生の後のデータフレームを送信するように適合される。
【００４７】
本発明の実施形態では、リタイミングモジュール７０７は、データフレームの下流クロックを再生し、次に、下流クロックに対してデジッタリングを実行して、下流リタイミングクロックを生成するように、すなわち、安定した位相を有する下流リタイミングクロックを生成するように機能する。そのような処理は、従来技術によって実現されてもよい。生成された下流リタイミングクロックは、以下の３つの側面に対する影響を主として含む。
【００４８】
第１に、上流データフレームのマルチフェーズサンプリングを実現して、有効なデータ及びクロックを再生するために、下流リタイミングクロックは、上流方向におけるＢＣＤＲモジュール７０２に送信され、ＢＣＤＲモジュール７０２のための基準クロックとして利用される。
【００４９】
第２に、下流リタイミングクロックは、上流方向におけるプリアンブルバッファリング及び補償モジュール７０４に送信され、プリアンブルバッファリング及び補償モジュール７０４によって、プリアンブル補償の後のデータフレームの送信において採用される。デジッタリング処理が下流リタイミングクロックに対して実行されているため、プリアンブル補償の後のデータフレームが下流リタイミングクロックを介して送信される場合、プリアンブル補償の後のデータフレームは、安定した、統合された位相を維持することができ、これは、ＯＬＴｓによって受信されるために有用である。もちろん、デジッタリング処理は実行されなくてもよい。この場合、位相はあまり安定しない可能性がある。
【００５０】
加えて、ＰＯＮにおいてデータを伝送するためにＯＮＵｓによって採用される上流クロックは、下流方向にデータを伝送するためにＯＬＴｓによって採用される下流クロックを追跡することによって取得されるため、上流クロックと下流クロックとは相同（ｈｏｍｏｌｏｇｏｕｓ）であり、その結果、それらの周波数は一致しており、位相のみが変化している。従って、３Ｒ装置は、下流方向で取得された下流リタイミングクロックを、プリアンブル補償の後のデータフレームを送信するために使用してもよい。
【００５１】
第３に、下流方向において、３Ｒ装置を通過するデータフレームも、下流リタイミングクロックを、位相を修正するために使用する。データフレームを処理するためにＯＮＵｓによって採用される処理クロックは、下流方向にデータを伝送するためにＯＬＴｓによって採用される下流クロックを追跡することによって取得されるため、安定した位相を有するデータフレームが下流方向に送信され、これは更に、ＯＮＵによる受信とクロック信号の再生とを容易にする。
【００５２】
本発明の実施形態では、プリアンブルバッファリング及び補償モジュール７０４は、デリミタマッチングモジュール７０３によって特定されたデータ位置及びプリアンブル位置に従って、バッファリングされ出力されるデータフレームのプリアンブル位置において補償プリアンブルを挿入する。プリアンブル位置において補償プリアンブルを挿入するために、２つの手法が採用されてもよい。１つの手法は、減損されたプリアンブルのみを補償するというものである。もう１つの手法は、デリミタによって規定されたプリアンブル位置におけるプリアンブル全体を、補償プリアンブルで置き換えるというものである。２つの手法について、それぞれ以下で説明する。
【００５３】
１）減損されたプリアンブルのみが補償される。
【００５４】
上流方向における、Ｏ／Ｅ増幅整形モジュール７０１によるＯ／Ｅ変換、増幅、及び整形と、ＢＣＤＲモジュール７０２によってデータフレームに対して実行されるＢＣＤＲとによって引き起こされる、減損されるプリアンブルのビット数が、製品仕様又は実験に従って推定されてもよく、そして、プリアンブルバッファリング及び補償モジュール７０４内に予め設定されてもよい。プリアンブルバッファリング及び補償モジュール７０４は、更に、プリアンブル生成規則（又は、フォーマットと呼ばれる）（規則は、データフレームを生成するためにＯＮＵｓ及びＯＬＴｓによって採用されるプリアンブル規則と同じである）を予め設定する。バッファリングされたデータフレームのフレームヘッドをデリミタマッチングモジュール７０３が特定したら、減損されるプリアンブルの設定されたビット数に従って、減損されたプリアンブルのプリアンブル位置が特定され、その結果、設定されたプリアンブル生成規則に従ってプリアンブルが生成され、生成された対応する部分が、減損されたプリアンブルのプリアンブル位置に満たされる。
【００５５】
２）データフレームのデリミタによって規定されるプリアンブル位置におけるプリアンブル全体が補償プリアンブルによって置き換えられる。
【００５６】
プリアンブル生成規則が、プリアンブルバッファリング及び補償モジュール７０４内に予め設定される（規則は、データフレームを生成するためにＯＮＵｓ及びＯＬＴｓによって採用されるプリアンブル規則と同じである）。バッファリングされたデータフレームのプリアンブル位置をプリアンブルバッファリング及び補償モジュール７０４が特定したら、設定されたプリアンブル生成規則に従ってプリアンブルが生成され、バッファリングされ出力されるデータフレームのプリアンブル位置においてプリアンブルが上書きされる。
【００５７】
図７は、３Ｒ装置が１つのデータフレームを処理する状況を示すにすぎない。実際的な実施においては、受信されたデータフレームは、上流方向において次々と処理されてもよく、そして、連続的にＯＬＴｓに送信され、それにより、ＯＬＴｓによる受信は容易になる。
【００５８】
本発明の実施形態で提供されるシステムは、ＰＯＮ内の上流又は下流方向におけるＯＥＯ変換を同時に実行することができる。ＰＯＮカバレージを効果的に延長するためには１つの３Ｒ装置で十分であり、それにより、ＰＯＮ内に過剰な数のアクティブ装置を導入することが回避される。３Ｒ装置を介して伝送が延長されたデータフレームのプリアンブルが減損されていないことが確実にされ、その結果、後続のＯＬＴによる受信と、時間再生とは影響を受けない。ＰＯＮ内で上流方向にデータフレームを送信するためのバーストモードは、連続モードに変更されることが可能とされ、かつ、上流方向における位相は整列され、それにより、ＯＬＴｓにとっての受信の困難が減少する。これは高速ＰＯＮにおいて特に重要であり、その理由は、ＯＬＴ内の高速バースト受信光学部品が、現在のところ、速度を増加させるためのボトルネックだからである。３Ｒ装置は、単純で、実装が容易で、低コストであり、従って、市場の需要に適しており、広く迅速に適用されることが可能である。
【００５９】
図８は、本発明の一実施形態による、データ伝送延長を実現する方法のフローチャートである。３Ｒ装置は、ＯＬＴｓとＯＮＵｓとの間に配置される。３Ｒ装置は、ＯＬＴ側に配置され、受動光スプリッタを介してＯＮＵｓと接続される。具体的なステップは以下の通りである。
【００６０】
ステップ８０１で、３Ｒ装置は、ＯＮＵによって送信されたデータフレームを、受動光スプリッタを介して受信する。
【００６１】
ステップ８０２で、３Ｒ装置は、データフレームに対してＯ／Ｅ変換、増幅、及び整形を実行し、ＢＣＤＲを実行して、ＢＣＤＲの後のデータフレームを取得する。
【００６２】
ステップ８０３で、３Ｒ装置は、ＢＣＤＲの後のデータフレーム内のデータ信号をサーチし、プリアンブル及びデータを規定し、プリアンブルを補償する。
【００６３】
このステップには、２つの補償手法が含まれる。１つの手法は、減損されたプリアンブルのみを補償するというものである。もう１つの手法は、デリミタによって規定されたプリアンブル位置におけるプリアンブル全体を、補償プリアンブルで置き換えるというものである。具体的な実施については上記の説明で言及されている。
【００６４】
ステップ８０４で、３Ｒ装置は、プリアンブルが補償されたデータフレームに対してＯ／Ｅ変換及び増幅を実行し、処理されたデータフレームをＯＬＴに送信する。
【００６５】
プリアンブルが補償されたデータフレームに対してＯ／Ｅ変換及び増幅が実行される前に、下流方向における下流リタイミングクロックが更に取得されてもよく、又はＢＣＤＲの後のクロック出力が引き続き使用されてもよく、そして、プリアンブルが補償されたデータフレームが、Ｏ／Ｅ変換及び増幅を実行するためのＯ／Ｅ増幅モジュールに、取得されたクロックに従って送信される。
【００６６】
ＯＬＴによって受信されるデータフレームは、（補償された）完全なプリアンブル部を有するため、データフレームは正しく受信されることが可能である。
【００６７】
特定の実施形態を以下に示す。
【００６８】
時分割多重（ＴＤＭ）−ＰＯＮにおいて、ギガビットＰＯＮ（ＧＰＯＮ）は、固定されたフレーム周期を有し、様々な上流又は下流速度と光スプリット比とを柔軟に提供し、採用されるＧＰＯＮカプセル化モード（ＧＥＭ）は、任意のデータサービスと組み合わせるのに好適であり、ＧＰＯＮは、ＴＤＭサービスデータの伝送をサポートすることができ、かつ所望のタイミング保証を有し、その結果、ＧＰＯＮは、広範なサービスアクセスのための望ましい解決法となっており、広く適用されている。この特定の実施形態は、ＧＰＯＮにおいてデータ伝送延長を実現する方法を示す。
【００６９】
本発明の実施形態で提供される方法は、ＰＯＮ内の上流又は下流方向におけるＯＥＯ変換を同時に実行することができる。ＰＯＮカバレージを効果的に延長するためには１つの３Ｒ装置で十分であり、それにより、ＰＯＮ内に過剰な数のアクティブ装置を導入することが回避される。３Ｒ装置を介して伝送が延長されたデータフレームのプリアンブルが減損されていないことが確実にされ、その結果、後続のＯＬＴによる受信と、時間再生とは影響を受けない。ＰＯＮ内で上流方向にデータフレームを送信するためのバーストモードは、連続モードに変更されることが可能とされ、かつ、上流方向における位相は整列され、それにより、ＯＬＴｓにとっての受信の困難が減少する。これは高速ＰＯＮにおいて特に重要であり、その理由は、ＯＬＴ内の高速バースト受信光学部品が、現在のところ、速度を増加させるためのボトルネックだからである。３Ｒ装置は、単純で、実装が容易で、低コストであり、従って、市場の需要に適しており、広く迅速に適用されることが可能である。
【００７０】
ＧＰＯＮのデータ伝送延長に関して、図９は、ＧＰＯＮにおけるデータ伝送延長のための３Ｒ装置の概略図である。ほとんどの処理モジュールの機能は、図７におけるものと同じである。プリアンブルバッファリング及び補償モジュール７０４のみが、２つのモジュール、すなわち、バッファリングモジュール７０９とプリアンブル挿入モジュール７１０とによって置き換えられている。加えて、２周波数分割モジュール７１１が、リタイミングモジュールとバッファリングモジュールとの間に追加されている。
【００７１】
バッファリングモジュール７０９は、デリミタマッチングモジュール７０３から受信した、デリミタデータを運ぶデータフレームをバッファリングし、２周波数分割モジュールを介して２周波数分割を実行するためにリタイミングモジュールによって採用された下流リタイミングクロックに従って、Ｅ／Ｏ増幅モジュール７０５に、プリアンブルが補償されたデータフレームを送信するように適合される。
【００７２】
プリアンブル挿入モジュール７１０は、デリミタマッチングモジュール７０３によって規定された、データフレームのデータ位置とプリアンブル位置とに従って、補償される必要があるプリアンブル位置において補償プリアンブルを挿入する。
【００７３】
プリアンブル挿入モジュール７１０は、デリミタマッチングモジュール７０３によって送信された挿入制御信号を受信した後で、プリアンブル位置において補償プリアンブルを挿入するように更に適合される。デリミタマッチングモジュール７０３は、クロック及びデータ再生の後のデータフレームをサーチし、サーチすることを介してデリミタが見出された後で、プリアンブル挿入モジュール７１０に、挿入制御信号を送信する。
【００７４】
ＧＰＯＮにおいて伝送されるデータフレームは、図１０に示す通りである。図１０において、ＰＬＯＵは、上流方向におけるデータフレームのフレームヘッドを示す。ａバイトはプリアンブルを示し、ｂバイトはデリミタを示す。プロトコルでは、１．２５Ｇｐｂｓ上流データフレームのプリアンブルは４４ビット、デリミタは２０ビット、パターンは０ｘＢ５９８３と指定されている。図９におけるデリミタマッチングモジュール７０３は、サーチすることを介して、デリミタ０ｘＢ５９８３を判定して、データフレームのフレームヘッドを特定し、バッファリングモジュール７０９内にデータフレームをバッファリングする。バッファの書き込みクロックは、ＢＣＤＲからの上流クロック出力、すなわち、１．２５ＧＨｚ上流クロックである。バッファを読み出すためにＥ／Ｏ増幅モジュール７０５によって採用されるクロックは、リタイミングモジュールから取得される下流リタイミングクロック、すなわち、デジッタリングプロセスの後の２．５ＧＨｚ下流クロックであり、次に、２．５ＧＨｚ下流クロックに対して２周波数分割が実行されて１．２５ＧＨｚリタイミングクロックが取得される。これは、上流及び下流方向において使用される周波数が異なるためである。バッファの書き込みクロックの周波数と同じ周波数を取得するために、下流リタイミングクロックに対して周波数分割が実行される必要がある。もちろん、４周波数分割モジュール及び１６周波数分割モジュールなどの、その他の周波数分割モジュールが同様に使用されてもよい。具体的な実装は、上流速度と下流速度との間の関係に従って決定されてもよい。
【００７５】
本発明の実施形態で提供される装置は、ＰＯＮ内の上流又は下流方向におけるＯＥＯ変換を同時に実行することができる。ＰＯＮカバレージを効果的に延長するためには１つの３Ｒ装置で十分であり、それにより、ＰＯＮ内に過剰な数のアクティブ装置を導入することが回避される。３Ｒ装置を介して伝送が延長されたデータフレームのプリアンブルが減損されていないことが確実にされ、その結果、後続のＯＬＴによる受信と、時間再生とは影響を受けない。ＰＯＮ内で上流方向にデータフレームを送信するためのバーストモードは、連続モードに変更されることが可能とされ、かつ、上流方向における位相は整列され、それにより、ＯＬＴｓにとっての受信の困難が減少する。これは高速ＰＯＮにおいて特に重要であり、その理由は、ＯＬＴ内の高速バースト受信光学部品が、現在のところ、速度を増加させるためのボトルネックだからである。３Ｒ装置は、単純で、実装が容易で、低コストであり、従って、市場の需要に適しており、広く迅速に適用されることが可能である。
【００７６】
実施形態による技術的解決法の内容の全て又は一部は、ソフトウェアプログラムを介して実施されてもよい。ソフトプログラムは、コンピュータ内のハードディスク、光ディスク、又は磁気ディスクなどの、読み出し可能な記憶媒体内に記憶されてもよい。
【００７７】
本発明の特定の実施形態について説明した。本発明による方法は、実施において適切に改良されてもよい。従って、本発明による特定の実施形態は単に例示的なものであり、本発明の範囲を限定することを意図するものではないということが理解されよう。
【図１】
2010534989.tif 000003
【図２】
2010534989.tif 000004
【図３】
2010534989.tif 000005
【図４】
2010534989.tif 000006
【図５】
2010534989.tif 000007
【図６】
2010534989.tif 000008
【図７】
2010534989.tif 000009
【図８】
2010534989.tif 000010
【図９】
2010534989.tif 000011
【図１０】
2010534989.tif 000012
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
受動光ネットワーク（ＰＯＮ）においてデータ伝送延長を実現する装置であって、上流方向において、光−電気（Ｏ／Ｅ）増幅整形モジュールと、バーストモードクロック及びデータ再生（ＢＣＤＲ）モジュールと、電気−光（Ｅ／Ｏ）増幅モジュールとを備え、
前記ＢＣＤＲモジュールによって送信されたデータフレームを受信し、前記データフレーム内のデリミタの位置を特定するように適合された、デリミタマッチングモジュールであって、前記Ｏ／Ｅ増幅整形モジュールが前記データフレームに対してＯ／Ｅ変換、増幅、及び整形を実行し、前記ＢＣＤＲモジュールが前記データフレームに対してクロック及びデータ再生処理を実行する、デリミタマッチングモジュールと、
前記デリミタマッチングモジュールから出力された前記データフレームを受信及びバッファリングし、前記デリミタマッチングモジュールによって特定された、前記データフレーム内の前記デリミタの前記位置に従って、前記データフレーム内に補償プリアンブルを挿入し、次に、下流方向におけるリタイミングクロックに従って、Ｅ／Ｏ増幅モジュールに前記データフレームを送信するように適合された、プリアンブルバッファリング及び補償モジュールと
を更に備える装置。
【請求項２】
前記デリミタマッチングモジュールは、クロックモジュールと、デリミタ特定モジュールとを更に備え、
前記クロックモジュールは、前記データフレームがＯ／Ｅ変換、増幅、及び整形され、次に、前記ＢＣＤＲモジュールによってクロック及びデータ再生された後で取得された、上流再生クロックを受信し、前記デリミタ特定モジュールに前記上流再生クロックを送信するように適合され、
前記デリミタ特定モジュールは、前記上流再生クロックに従って、前記プリアンブルバッファリング及び補償モジュールに、前記クロック及びデータ再生の後の前記データフレームを送信するように適合された、請求項１に記載の装置。
【請求項３】
下流方向において、Ｏ／Ｅ増幅整形モジュールと、リタイミングモジュールと、Ｅ／Ｏモジュールとを更に備え、
前記Ｏ／Ｅ増幅整形モジュールは、下流方向において、Ｏ／Ｅ変換、増幅、及び整形を実行するためにデータフレームを受信し、前記リタイミングモジュールに前記データフレームを送信するように適合され、
前記リタイミングモジュールは、下流方向において前記Ｏ／Ｅ増幅整形モジュールから受信した、前記Ｏ／Ｅ変換、増幅、及び整形を実行した後の前記データフレームから、クロック及びデータを再生し、クロックデジッタリングを実行し、安定した位相を有するリタイミングクロックを生成し、前記ＢＣＤＲモジュールと前記プリアンブルバッファリング及び補償モジュールとに前記リタイミングクロックを送信し、前記リタイミングクロックに従って、前記Ｅ／Ｏモジュールに、前記Ｏ／Ｅ変換、増幅、及び整形を実行した後の前記データフレームを送信するように適合され、
前記Ｅ／Ｏモジュールは、前記リタイミングモジュールから送信された、前記Ｏ／Ｅ変換、増幅、及び整形を実行した後の前記データフレームを受信し、前記受信したデータフレームに対してＥ／Ｏ変換を実行し、前記変換されたデータフレームを送信するように適合され、
前記上流方向において、前記ＢＣＤＲモジュールは、前記受信したリタイミングクロックを基準クロックとして利用し、前記上流再生クロックと前記データフレームとを再生し、前記デリミタマッチングモジュールを介して前記プリアンブルバッファリング及び補償モジュールに、前記上流再生クロックと前記データフレームとを送信する、請求項１に記載の装置。
【請求項４】
前記プリアンブルバッファリング及び補償モジュールは、
前記デリミタマッチングモジュールから受信した、特定されたデリミタ位置を有する前記データフレームをバッファリングし、前記リタイミングモジュールによって取得された前記リタイミングクロック、又は、前記デリミタマッチングモジュールを介して前記ＢＣＤＲモジュールから取得された前記上流再生クロックに従って、前記Ｅ／Ｏ増幅モジュールに、プリアンブルが補償された前記データフレームを送信するように適合された、バッファリングモジュールと、
前記バッファリングモジュールによって出力された、前記特定されたデリミタを有する前記データフレームのプリアンブル位置に、前記補償プリアンブルを挿入するように適合された、プリアンブル挿入モジュールと
を更に備える、請求項３に記載の装置。
【請求項５】
前記プリアンブル挿入モジュールは、前記バッファリングモジュールによって出力された、前記特定されたデリミタを有する前記データフレームの前記プリアンブル位置に、前記補償プリアンブルを、前記デリミタマッチングモジュールによって送信された挿入制御信号を受信した後で挿入する、請求項４に記載の装置。
【請求項６】
前記リタイミングモジュールによって出力された前記リタイミングクロックに対して周波数分割処理を実行し、前記周波数分割処理の後の前記リタイミングクロックを、前記ＢＣＤＲモジュールと前記バッファリングモジュールとに送信するように適合された、周波数分割モジュール
を更に備える、請求項４に記載の装置。
【請求項７】
受動光ネットワーク（ＰＯＮ）においてデータ伝送延長を実現するシステムであって、光ネットワークユニット（ＯＮＵｓ）と、光回線終端装置（ＯＬＴｓ）と、光−電気−光（ＯＥＯ）装置とを備え、
前記ＯＥＯ装置は、前記ＯＮＵｓによって送信されたデータフレームを受信し、前記データフレームに対して、光−電気（Ｏ／Ｅ）変換、増幅、及び整形を実行し、前記データフレームに対して、バーストモードクロック及びデータ再生動作を実行し、取得された再生データフレームのプリアンブル及びデータを規定し、前記データフレームの前記プリアンブルを補償し、前記プリアンブルが補償された前記データフレームに対して、Ｏ／Ｅ変換、及び増幅を実行し、前記処理されたデータフレームを前記ＯＬＴｓに送信するように適合された、システム。
【請求項８】
前記ＯＥＯ装置と前記ＯＬＴｓとの間の距離は、前記ＯＥＯ装置と前記ＯＬＴｓとの間の光パワーバジェットに従って決定される、請求項７に記載のシステム。
【請求項９】
前記ＯＥＯ装置は、前記ＯＮＵｓから２０キロメートル以下の距離だけ隔たった位置に配置される、請求項８に記載のシステム。
【請求項１０】
受動光ネットワーク（ＰＯＮ）においてデータ伝送延長を実現する方法であって、光回線終端装置（ＯＬＴｓ）と光ネットワークユニット（ＯＮＵｓ）との間の距離が延長され、光−電気−光（ＯＥＯ）装置が前記ＯＬＴｓと前記ＯＮＵｓとの間に配置され、前記方法は、
前記ＯＥＯ装置によって、受動光スプリッタを介して前記ＯＮＵｓから受信したデータフレームに対して、光−電気（Ｏ／Ｅ）変換、増幅、及び整形を実行し、前記データフレームに対して、バーストモードクロック及びデータ再生（ＢＣＤＲ）を実行して、ＢＣＤＲの後のデータフレームを取得し、
前記ＯＥＯ装置によって、ＢＣＤＲの後の前記データフレームのプリアンブル及びデータを規定し、前記プリアンブルを補償し、前記プリアンブルが補償された前記データフレームに対して、Ｏ／Ｅ変換及び増幅を実行し、前記データフレームを前記ＯＬＴｓに送信すること
を含む、方法。
【請求項１１】
前記プリアンブルを補償することは、
前記ＢＣＤＲの間に減損される、データフレームのプリアンブルのビット数に従って、プリアンブル生成規則を設定し、前記ＢＣＤＲの後の前記データフレームのプリアンブル及びデータを規定し、前記設定されたプリアンブル生成規則に従ってプリアンブルを生成し、前記減損されたプリアンブルの位置において、前記生成されたプリアンブルを追加すること、又は、
プロトコルで指定されたプリアンブルビット数に従って、プリアンブル生成規則を予め設定し、前記ＢＣＤＲの後の前記データフレームのプリアンブル及びデータを規定し、前記設定されたプリアンブル生成規則に従ってプリアンブルを生成し、前記プリアンブル位置においてプリアンブル全体を上書きすること
を更に含む、請求項１０に記載の方法。
【請求項１２】
前記プリアンブルが補償された前記データフレームに対して、前記Ｏ／Ｅ変換及び前記増幅を実行する前に、前記方法は、
下流方向における前記データフレームのリタイミング再生の後で取得されたリタイミングクロック、又はＢＣＤＲを介して再生された上流リタイミングクロックに従って、Ｏ／Ｅ変換及び増幅を実行するための光−電気（Ｏ／Ｅ）増幅整形モジュールに、前記プリアンブルが補償された前記データフレームを送信すること
を更に含む、請求項１０に記載の方法。
【国際調査報告】
2010534989.tif 000013
2010534989.tif 000014
2010534989.tif 000015
2010534989.tif 000016
2010534989.tif 000017